(57)【要約】【課題】  人間の主観特性に近い判断ができるシーンチェンジ検出方法を提供する。【解決手段】  ＨＬＳ変換部２ａ、２ｂで、映像信号を色相、彩度、輝度からなるＨＬＳ色空間の情報に変換し、輝度信号ヒストグラム比較部５で、参照フレームと参照フレームに連続するフレームの間で、輝度信号ヒストグラムを比較すると共に、色相信号ヒストグラム比較部６で、参照フレームと参照フレームに連続するフレームの間で、色相信号ヒストグラムを比較する。ＨＬＳ空間上でシーンチェンジを検出することで、人間の主観特性に近い判断で、シーンチェンジが検出できる。【選択図】        図１
2006155491.tif 000002
【特許請求の範囲】
【請求項１】
映像信号を、輝度信号と色相信号とを含む色空間の信号に変換する工程と、
参照フレームと前記参照フレームに連続するフレームの輝度信号ヒストグラムを作成する工程と、
参照フレームと前記参照フレームに連続するフレームの色相信号ヒストグラムを作成する工程と、
前記参照フレームと前記参照フレームに連続するフレームの間で、前記輝度信号ヒストグラムを比較する工程と、
前記参照フレームと前記参照フレームに連続するフレームの間で、前記色相信号ヒストグラムを比較する工程と、
前記参照フレームと前記参照フレームに連続するフレームの間での、前記輝度信号ヒストグラムの比較結果と、前記色相信号ヒストグラムの比較結果とを用いて、シーンチェンジを判断する工程と
を含むことを特徴とするシーンチェンジ検出方法。
【請求項２】
前記参照フレームと前記参照フレームに連続するフレームの間でヒストグラムを比較する際に、前記ヒストグラムを曲線近似化するようにしたことを特徴とする請求項１に記載のシーンチェンジ検出方法。
【請求項３】
前記参照フレームと前記参照フレームに連続するフレームの間でヒストグラムを比較する際に、前記ヒストグラムの曲線に設定された複数の評価点を使用するようにしたことを特徴とする請求項１に記載のシーンチェンジ検出方法。
【請求項４】
前記参照フレームと前記参照フレームに連続するフレームの間でヒストグラムを比較する際に、
前記参照フレームの近似化したヒストグラム分布に公差範囲を設け、前記参照フレームに連続するフレームの近似化したヒストグラム分布がその公差範囲内に存在する評価点の数を相関の判断基準とするようにしたことを特徴とする請求項３に記載のシーンチェンジ検出方法。
【発明の詳細な説明】
【技術分野】
【０００１】
本発明は、画面のシーンチェンジを検出するシーンチェンジ検出方法に関するもので、特に、映像シーンに合わせた画質改善に係わる。
【背景技術】
【０００２】
現在の映像信号処理装置は、階調の自動最適補正として、輝度信号の出現度数分布(以下、ヒストグラム演算)を解析し、映像シーン毎に階調補正を行っている。しかし、色の濃さが徐々に変化する映像シーンの場合、人は同じ映像の集まりと判断する傾向がある。輝度信号だけによる映像シーン分析では、輝度情報の変化量に着目しているため、同一映像シーンと判断される集まりでも複数の映像シーンの集まりと誤認識してしまう。その結果、同一映像シーンと人が感ずる状況であっても、後段の輝度階調補正が適切に制御されていない事象が発生する。
【０００３】
また、例えば、特許文献１に記載されているヒストグラム特徴解析手法には、色値レベルを判定し、ヒストグラム分布図から極大点と極小点を求め、その極大・極小点の高低と極大・極小点の位置する幅の変化量を比較する手法が記載されている。
【特許文献１】特開平１０−２７６４３５号公報
【発明の開示】
【発明が解決しようとする課題】
【０００４】
しかしながら、特許文献１のアルゴリズムは、色情報のヒストグラム分布において同一映像シーンと思われる映像内で色分布の出現量が変化した場合、誤検出することになる。
【０００５】
例えば、図１０（Ａ）に示すように、森林の中に青い空が見える映像の場合、森林を意味する色分布は緑色に集中し、青い空を意味する色分布は青色に集中する。この映像では、極大点が緑色を占める色分布上に存在すると仮定する。この映像シーンにおいて、図１０（Ｂ）に示すように、青い色の車が現れると、特許文献１のアルゴリズムでは、色分布の極大点に変化が発生し、シーンチェンジが検出されたと判断される。しかしながら、人の感覚は、出現した青い車も同じ映像の集まりと判断することが多い。これは、映像シーンの背景に大きな変化がないからである。つまり、極大・極小点による分布解析では、突発的な色情報の存在によって情報が左右されやすいと考えられる。
【０００６】
また、特許文献１では、対象とする信号をＲＧＢ信号、色差信号としており、シーン検出を行うためには全ての信号について演算を行わなければならない。その結果、並列化を行う等の回路の複雑化が予測できる。
【０００７】
本発明は、上述の課題を鑑み、人間の主観特性に近い判断ができるシーンチェンジ検出方法を提供することを目的とする。
【課題を解決するための手段】
【０００８】
上述の課題を解決するために、請求項１の発明に係るシーンチェンジ検出方法は、映像信号を、輝度信号と色相信号とを含む色空間の信号に変換する工程と、参照フレームと参照フレームに連続するフレームの輝度信号ヒストグラムを作成する工程と、参照フレームと参照フレームに連続するフレームの色相信号ヒストグラムを作成する工程と、参照フレームと参照フレームに連続するフレームの間で、輝度信号ヒストグラムを比較する工程と、参照フレームと参照フレームに連続するフレームの間で、色相信号ヒストグラムを比較する工程と、参照フレームと参照フレームに連続するフレームの間での、輝度信号ヒストグラムの比較結果と、色相信号ヒストグラムの比較結果とを用いて、シーンチェンジを判断する工程とを含むことを特徴とする。
【０００９】
請求項２の発明は、請求項１の発明において、参照フレームと参照フレームに連続するフレームの間でヒストグラムを比較する際に、ヒストグラムを曲線近似化するようにしたことを特徴とする。
【００１０】
請求項３の発明は、請求項１の発明において、参照フレームと参照フレームに連続するフレームの間でヒストグラムを比較する際に、ヒストグラムの曲線に設定された複数の評価点を使用するようにしたことを特徴とする。
【００１１】
請求項４の発明は、請求項３の発明において、参照フレームと参照フレームに連続するフレームの間でヒストグラムを比較する際に、参照フレームの近似化したヒストグラム分布に公差範囲を設け、参照フレームに連続するフレームの近似化したヒストグラム分布がその公差範囲内に存在する評価点の数を相関の判断基準とするようにしたことを特徴とする。
【発明の効果】
【００１２】
請求項１の本発明によれば、映像信号を色相、彩度、輝度からなるＨＬＳ色空間の情報に変換し、ＨＬＳ色空間上で、シーンチェンジを検出している。すなわち、参照フレームと参照フレームに連続するフレームの間で、色相信号ヒストグラムを比較すると共に、輝度信号ヒストグラムを比較し、この比較結果に基づいて、シーンチェンジを検出している。このように、ＨＬＳ空間上でシーンチェンジを検出することで、人間の主観特性に近い判断で、シーンチェンジが検出できる。
【００１３】
請求項２の発明によれば、フレームの間でヒストグラムを比較する際に、ヒストグラムを曲線近似するようにしている。このように、ヒストグラムの形状を完全な形で行うのではなく、曲線近似して冗長性を持たせることにより、ノイズ成分の影響を受けず、確実にシーンチェンジを検出することができる。
【００１４】
請求項３の発明によれば、ヒストグラムの比較を行う際に、一箇所又は最大、最小値の特定箇所ではなく、複数の評価点を使って比較を行っているため、アルゴリズムが複雑にならないと共に、冗長性を持たせることができる。
【００１５】
請求項４の発明によれば、参照フレームと参照フレームに連続するフレームの間でヒストグラムを比較する際に、参照フレームの近似化したヒストグラム分布に公差範囲を設け、参照フレームに連続するフレームの近似化したヒストグラム分布がその公差範囲内に存在する評価点の数を相関の判断基準とすることで、冗長性があり、人間の感覚に近い判断基準が得られる。
【発明を実施するための最良の形態】
【００１６】
以下、本発明の実施の形態について、図面を参照しながら説明する。図１は本発明の実施形態を示すものである。図１において、フレームメモリ１ａには、参照フレームＮの映像信号が蓄積されている。フレームメモリ１ｂには、これに連続するフレーム（Ｎ＋１）の映像信号が蓄積されている。
【００１７】
フレームメモリ１ａ及び１ｂからの映像信号は、ＨＬＳ(ＨＬＳ：Hue, Lightness, Saturation)変換部２ａ及び２ｂにそれぞれ供給される。ＨＬＳ変換部２ａで、参照フレームＮの映像信号が色相、彩度、輝度からなるＨＬＳ色空間の情報に変換される。ＨＬＳ変換部２ｂで、フレーム（Ｎ＋１）の映像信号が色相、彩度、輝度からなるＨＬＳ空間の情報に変換される。
【００１８】
ＨＬＳ変換部２ａからの参照フレームＮの輝度信号は、輝度信号ヒストグラム生成部３ａに供給される。輝度信号ヒストグラム生成部３ａで、参照フレームＮの輝度信号ヒストグラムが作成される。作成された参照フレームＮの輝度信号ヒストグラムは、輝度信号ヒストグラム比較部５に供給される。
【００１９】
ＨＬＳ変換部２ｂからのフレーム（Ｎ＋１）の輝度信号は、輝度信号ヒストグラム生成部３ｂに供給される。輝度信号ヒストグラム生成部３ｂで、参照フレームＮの輝度信号ヒストグラムが作成される。作成されたフレーム（Ｎ＋１）の輝度信号ヒストグラムは、輝度信号ヒストグラム比較部５に供給される。
【００２０】
ＨＬＳ変換部２ａからの参照フレームＮの色相信号は、色相信号ヒストグラム生成部４ａに供給される。色相信号ヒストグラム生成部４ａで、参照フレームＮの色相信号ヒストグラムが作成される。作成された参照フレームＮの色相信号ヒストグラムは、色相信号ヒストグラム比較部６に供給される。
【００２１】
ＨＬＳ変換部２ｂからのフレーム（Ｎ＋１）の色相信号は、色相信号ヒストグラム生成部４ｂに供給される。色相信号ヒストグラム生成部４ｂで、フレーム（Ｎ＋１）の色相信号ヒストグラムが作成される。作成されたフレーム（Ｎ＋１）の色相信号ヒストグラムは、色相信号ヒストグラム比較部６に供給される。
【００２２】
輝度信号ヒストグラム比較部５は、輝度信号ヒストグラム生成部３ａで作成された参照フレームＮの輝度信号ヒストグラムと、輝度信号ヒストグラム生成部３ｂで作成されたフレーム（Ｎ＋１）の輝度信号ヒストグラムとを比較する。色相信号ヒストグラム比較部６は、色相信号ヒストグラム生成部４ａで作成された参照フレームＮの色相信号ヒストグラムと、色相信号ヒストグラム生成部４ｂで作成されたフレーム（Ｎ＋１）の輝度信号ヒストグラムとを比較する。
【００２３】
輝度信号ヒストグラム比較部５及び色相信号ヒストグラム比較部６の比較出力は、判断部７に供給される。判断部７により、輝度信号ヒストグラム比較部５及び色相信号ヒストグラム比較部６からの比較信号に基づいて、シーンチェンジが発生しているかどうかが判断される。
【００２４】
すなわち、輝度信号ヒストグラム比較部５により、参照フレームＮの輝度信号ヒストグラムと、これに連続するフレーム（Ｎ＋１）の輝度信号ヒストグラムとの相関が求められる。色相信号ヒストグラム比較部６により、参照フレームＮの色相信号ヒストグラムと、これに連続するフレーム（Ｎ＋１）の色相信号ヒストグラムとの相関が求められる。これらの相関が大きい場合には、シーンチェンジが発生していないと判断される。これらの相関が小さい場合には、シーンチェンジが発生していると判断される。
【００２５】
このように、本発明の実施形態では、映像信号をＨＬＳ色空間に展開し、ＨＬＳ色空間による映像シーン分析を行っている。ＲＧＢの色空間は、赤、緑、青の光の三原色をもとにして、加法混色を表現しているのに対して、ＨＬＳ色空間では、色相と、彩度と、輝度とから捉えている。ＨＬＳ色空間は、加法混合により色を捉えるＲＧＢ色空間に比べて、より自然に色を捉えることができる。
【００２６】
図２は、ＨＬＳ色空間を示すものである。図２に示すように、ＨＬＳ色空間では、全ての色が３次元の球体図の中で表現できる。この球体図は、全ての色信号に対して、色合いの変化量(色相角：hue)と色の濃さ(彩度量：Saturration)から生成される色彩の輪を、輝度の明暗(Lightness)毎に積み重ねたものである。
【００２７】
この例では、輝度（Lightness）は縦軸に「０」から「１００」と定義し、「０」側が暗く、「１００」側が明るくなる。彩度（Saturation）は球体中心から外周に向けて「０」から「１００」と定義し、「０」側が黒に近づき、「１００」側が黒を除去した色になる。色相角度（hue）は外周角度として定義し、赤色が０度、黄色が６０度、緑色が１２０度、水色が１８０度、青色が２４０度、紫色が３００度で、３６０度で再び赤色に戻るようしてある。
【００２８】
輝度信号のみによるシーンチェンジの検出では、同一の輝度信号分布で、色のみが変化したような場合には、シーンチェンジが検出できない。これに対して、この実施形態では、輝度信号ヒストグラムと色相信号ヒストグラムとを用いてシーンチェンジを検出しているので、同一の輝度信号分布で、色のみが変化したような場合でも、シーンチェンジが確実に検出できる。
【００２９】
例えば、図３に示すようなシーンから、図４に示すようなシーンにチェンジしたとする。このとき、シーンチェンジ前の画面は図４（Ａ）に示すような緑色の画面であり、その輝度信号の分布が図４（Ｂ）に示すものであり、その色相角度の分布が図４（Ｃ）に示すようなものであるとする。また、シーンチェンジ後の画面が図５（Ａ）に示すものであり、その輝度信号の分布は図５（Ｂ）に示すような黄色の画面であり、その色相角度の分布が図５（Ｃ）に示すようなものであるとする。
【００３０】
この場合、輝度信号ヒストグラムだけ用いてシーンチェンジを判断すると、シーンチェンジ前の輝度信号の分布（図４（Ｂ））と、シーンチェンジ後の輝度信号の分布（図５（Ｂ））は殆ど同じであるため、シーンチェンジが検出できない。
【００３１】
これに対して、本発明の実施形態では、色相信号のヒストグラムを検出しており、シーンチェンジ前の色相角度の分布（図４（Ｃ））と、シーンチェンジ後の輝度信号の分布（図４（Ｃ）とは異なっている。このため、同一の輝度信号分布で、色のみが変化したような場合でも、シーンチェンジを確実に検出できる。
【００３２】
そして、本発明では、ＲＧＢ色空間ではなく、ＨＬＳ色空間を用いてシーンチェンジを検出している。このため、人間の感覚により近い間隔で、シーンチェンジを検出することができる。
【００３３】
なお、本発明は、図１と同様な処理を行うソフトウェアで構成するようにしても良い。図５は、ソフトウェアでの構成例を示すフローチャートである。
【００３４】
図５において、参照フレームＮの映像信号が取得され（ステップＳ１）、この参照フレームＮの映像信号がＨＬＳ色空間からなる信号に変換される（ステップＳ２）。そして、参照フレームＮの輝度信号ヒストグラムが作成され（ステップＳ３）、参照フレームＮの色相信号ヒストグラムが作成される（ステップＳ４）。
【００３５】
参照フレームＮに連続するフレーム（Ｎ＋１）の映像信号が取得され（ステップＳ５）、このフレーム（Ｎ＋１）の映像信号がＨＬＳ色空間からなる信号に変換される（ステップＳ６）。そして、フレーム（Ｎ＋１）の輝度信号ヒストグラムが作成され（ステップＳ７）、フレーム（Ｎ＋１）の色相信号ヒストグラムが作成される（ステップＳ８）。
【００３６】
次に、ステップＳ３で作成された参照フレームＮの輝度信号ヒストグラムと、ステップＳ７で作成されたフレーム（Ｎ＋１）の輝度信号ヒストグラムとが比較される（ステップＳ９）。そして、ステップＳ４で作成された参照フレームＮの色相信号ヒストグラムと、ステップＳ８で作成されたフレーム（Ｎ＋１）の色相信号ヒストグラムとが比較される（ステップＳ１０）。
【００３７】
ステップＳ９での参照フレームＮの輝度信号ヒストグラムとフレーム（Ｎ＋１）の輝度信号ヒストグラムとの比較結果と、ステップＳ１０での参照フレームＮの色相信号ヒストグラムとフレーム（Ｎ＋１）の色相信号ヒストグラムとの比較結果とを用いて、シーンチェンジが発生したかどうかが判定される（ステップＳ１１）。
【００３８】
次に、本発明の実施形態における輝度信号ヒストグラム及び色相信号ヒストグラムの比較処理について説明する。
【００３９】
図１に示したように、本発明の実施形態では、輝度信号ヒストグラム比較部５において、参照フレームＮの輝度信号ヒストグラムと、フレーム（Ｎ＋１）の輝度信号ヒストグラムとを比較し、また、色相信号ヒストグラム比較部６において、参照フレームＮの色相信号ヒストグラムと、フレーム（Ｎ＋１）の色相信号ヒストグラムとを比較して、その相関を検出している。このとき、そのまま特徴解析に使うには、ノイズ成分が多く、平均化などの演算による平滑化が必要である。
【００４０】
そこで、この実施形態では、回帰分析による曲線近似式を求めてヒストグラム分布を平滑化することで、同一映像シーン内の輝度および色の変化量を簡素化し、冗長性を持たせるようにしている。
【００４１】
また、ヒストグラムの比較の際の特徴解析を、一箇所或いは最大値、最小値の特定箇所とはせずに、複数の評価点を使用するようにしている。つまり、参照フレームの近似化したヒストグラム分布に公差範囲を設け、参照フレームに連続するフレームの近似化したヒストグラム分布が、その公差範囲内に存在する判定箇所の数を評価点毎にカウントし、このカウント値を評価するようにしている。
【００４２】
図６は、輝度信号ヒストグラム比較部５及び色相信号ヒストグラム比較部６でのヒストグラムの比較処理の一例を示すものである。
【００４３】
図６において、平滑部１１ａには、参照フレームＮのヒストグラム（輝度信号ヒストグラム又は色差信号ヒストグラム）が供給される。平滑部１１ｂには、フレーム（Ｎ＋１）のヒストグラム（輝度信号ヒストグラム又は色差信号ヒストグラム）が供給される。
【００４４】
平滑部１１ａで、回帰分析による曲線近似により、参照フレームＮのヒストグラムが平滑化される。平滑部１１ａにより、例えば、図７（Ａ）に示すように変化するヒストグラムの曲線Ｑ１が図７（Ｂ）に示すようなヒストグラムの曲線Ｑ２に平滑化される。
【００４５】
なお、ヒストグラムの近似には、輝度信号ヒストグラムの場合には例えば５次式の曲線近似が用いられる。色差信号ヒストグラムの場合には、例えば７次式の曲線近似が用いられる。
【００４６】
同様に、平滑部１１ｂで、回帰分析による曲線近似により、フレーム（Ｎ＋１）のヒストグラムが平滑化される。
【００４７】
平滑部１１ａで平滑化された参照フレームＮのヒストグラムは、公差範囲設定部１２に供給される。公差範囲設定部１２で、平滑化された参照フレームＮのヒストグラムの複数の評価点に、公差範囲が設定される。この公差範囲の設定値が、公差範囲内評価値カウント部１３に供給される。
【００４８】
また、公差範囲内評価値カウント部１３には、平滑部１１ｂから、平滑化されたフレーム（Ｎ＋１）のヒストグラムが供給される。
【００４９】
公差範囲内評価値カウント部１３は、各評価点において、平滑部１１ｂで平滑化されたフレーム（Ｎ＋１）のヒストグラムが、参照フレームＮのヒストグラムの公差範囲に入っているかどうかを評価点毎に判断し、公差範囲内に入っている判定箇所の数を計数する。
【００５０】
つまり、図８（Ａ）に示すように、参照フレームＮの平滑化されたヒストグラムの曲線Ａ１が得られたとする。このヒストグラムの曲線Ａ１の上下に、公差範囲が設定される。曲線Ｂ１は公差範囲の上限を示し、曲線Ｂ２は公差範囲の下限を示す。各評価点Ｐ１、Ｐ２、Ｐ３、…、Ｐ１０において、フレーム（Ｎ＋１）の平滑化されたヒストグラムが公差範囲に入っているかどうかが判断され、公差範囲に入っている判定箇所の個数が計数される。
【００５１】
例えば、図８（Ｂ）において曲線Ａ２で示すように、フレーム（Ｎ＋１）の平滑化されたヒストグラムが変化していたとする。この場合、評価点Ｐ１、Ｐ２、Ｐ４、Ｐ５、Ｐ６、Ｐ７、Ｐ８、Ｐ９、Ｐ１０が公差範囲内に入っており、評価点Ｐ３で、ヒストグラムが公差範囲から外れている。この場合、公差範囲に入っている判定箇所の個数が「９」、公差範囲に入っていない評価点の個数は「１」と計数される。
【００５２】
このように、公差範囲内評価値カウント部１３において、評価点毎に、平滑化されたフレーム（Ｎ＋１）のヒストグラムが公差範囲に入っているかどうかが判断され、ヒストグラムが公差範囲に入っているか箇所が計数される。この計数値は、相関の判断基準として出力される。
【００５３】
例えば、輝度信号ヒストグラムの場合には、等間隔に１０個の評価点を設定したとする。この場合、１０個の評価点のうち、公差範囲に入っていない数が例えば５個以上（公差範囲に入っていない数が５０％を越える）なら、相関なしと判断でき、シーンチェンジが起こった可能性が高いと判断できる。
【００５４】
また、色相信号ヒストグラムの場合には、色相角度を１０度刻みに分割した３６箇所を評価点として設定したとする。この場合、３６個の評価点のうち、公差範囲に入っていない数が例えば１８個以上（公差範囲に入っていない数が５０％を越える）なら、相関なしと判断でき、シーンチェンジが起こった可能性が高いと判断できる。
【００５５】
この演算では、ヒストグラム分布の特徴を極小、極大点で判断するのではなく、波形分布特徴を全体で評価するため、大きな分布変化が発生しない限り、映像のシーンチェンジの検出は行われない。つまり、映像内に大きく存在する輝度信号及び色信号の割合に注目しているため、人が感ずる映像シーンの検出に近いものになると考えられる。
【００５６】
図９は、上述のヒストグラムの比較処理をソフトウェアで実現した場合のフローチャートである。
【００５７】
図９において、参照フレームＮのヒストグラムが回帰分析による曲線近似式により平滑化される（ステップＳ２１）。参照フレームの近似化したヒストグラム分布に公差範囲が設けられる（ステップＳ２２）。
【００５８】
また、フレーム（Ｎ＋１）のヒストグラムが回帰分析による曲線近似式により平滑化される（ステップＳ２３）。フレーム（Ｎ＋１）の近似化したヒストグラム分布が、その公差範囲内に存在する判定箇所の数がカウントされる（ステップＳ２４）。このカウント値が相関を評価する信号として出力される（ステップＳ２５）。
【００５９】
以上、説明したように、本発明が適用されたシーンチェンジ検出では、映像信号をＨＬＳ色空間に展開し、ＨＬＳ色空間による映像シーン分析を行っている。このため、より人間の主観特性に近い判断で、シーンチェンジが検出できる。
【００６０】
また、この実施形態では、回帰分析による曲線近似式を求めてヒストグラム分布を平滑化することで、同一映像シーン内の輝度および色の変化量を簡素化し、冗長性を持たせるようにしている。また、ヒストグラムの比較の際の特徴解析を、一箇所或いは最大値、最小値の特定箇所とはせずに、複数の評価点を使用することで、冗長性を持たせるようにしている。
【００６１】
なお、ＨＬＳ色空間では、色相と、彩度と、輝度の情報が用いられる。これに対して、本発明の実施形態では、輝度信号のヒストグラムと色相信号のヒストグラムは用いているが、彩度信号のヒストグラムは用いていない。これは、彩度信号と輝度信号とは関連が強いためである。勿論、更に、彩度信号のヒストグラムを用いるようにしても良い。
【００６２】
本発明は、上述した実施形態に限定されるものではなく、この発明の要旨を逸脱しない範囲内で様々な変形や応用が可能である。
【産業上の利用可能性】
【００６３】
本発明は、映像シーンに合わせて階調補正等の映像信号処理を行う際に、シーンチェンジを検出するのに用いられる。
【図面の簡単な説明】
【００６４】
【図１】本発明の一実施形態のシーンチェンジ回路のブロック図である。
【図２】ＨＬＳ色空間の説明図である。
【図３】本発明の一実施形態のシーンチェンジ回路の説明図である。
【図４】本発明の一実施形態のシーンチェンジ回路の説明図である。
【図５】本発明の一実施形態の説明に用いるフローチャートである。
【図６】本発明の一実施形態のシーンチェンジ回路におけるヒストグラム比較部の一例のブロック図である。
【図７】本発明の一実施形態のシーンチェンジ回路におけるヒストグラム比較部の一例の説明に用いるグラフである。
【図８】本発明の一実施形態のシーンチェンジ回路におけるヒストグラム比較部の一例の説明に用いるグラフである。
【図９】本発明の一実施形態のシーンチェンジ回路におけるヒストグラム比較部の説明に用いるフローチャートである。
【図１０】従来のシーンチェンジ回路の説明図である。
【符号の説明】
【００６５】
１ａ，１ｂ  フレームメモリ
２ａ，２ｂ  ＨＬＳ変換部
３ａ，３ｂ  輝度信号ヒストグラム生成部
４ａ，４ｂ  色相信号ヒストグラム生成部
５  輝度信号ヒストグラム比較部
６  色相信号ヒストグラム比較部
７  判断部
１１ａ，１１ｂ  平滑部
１２  公差範囲設定部
１３  公差範囲内評価値カウント部
【図１】
2006155491.tif 000003
【図２】
2006155491.tif 000004
【図３】
2006155491.tif 000005
【図４】
2006155491.tif 000006
【図５】
2006155491.tif 000007
【図６】
2006155491.tif 000008
【図７】
2006155491.tif 000009
【図８】
2006155491.tif 000010
【図９】
2006155491.tif 000011
【図１０】
2006155491.tif 000012